(57)【要約】【課題】  施設内の扉を管理しているゲート管理装置の限られたメモリを有効に活用できるゲート管理システムの提供を目的とする。【解決手段】  本ゲート管理システムは、相互に通信可能に接続されている複数のゲート管理装置からなり、前記ゲート管理装置は、物体のゲートの通過を検知し、検知の都度、通過に関する情報である通過情報を作成し、前記ゲート管理装置のうち特定された１つのゲート管理装置が、自装置であった場合には、作成した通過情報および他のゲート管理装置から受信した通過情報のうち、いずれか一方を記憶し、特定された１つのゲート管理装置が、他のゲート管理装置であった場合には、作成した通過情報を当該他のゲート管理装置に送信する。【選択図】図１
2007172177.tif 000002
【特許請求の範囲】
【請求項１】
相互に通信可能に接続されている複数のゲート管理装置からなるゲート管理システムであって、
前記ゲート管理装置は、
物体のゲートの通過を検知し、検知の都度、通過に関する情報である通過情報を作成する通過情報作成手段と、
通過情報を記憶するための記憶手段と、
ゲート管理装置のうち、１の装置を特定する装置特定手段と、
前記装置特定手段で特定されたゲート管理装置が、自装置であった場合には、前記通過情報作成手段で作成した通過情報および他のゲート管理装置から受信した通過情報のうち、いずれか一方を前記記憶手段に記憶し、前記装置特定手段で特定されたゲート管理装置が、他のゲート管理装置であった場合には、前記通過情報作成手段で作成した通過情報を当該他のゲート管理装置に送信する制御手段と
を備えることを特徴とするゲート管理システム。
【請求項２】
前記複数のゲート管理装置のうち、いずれかのゲート管理装置の記憶手段が所定数の通過情報を記憶した場合に、当該ゲート管理装置は、当該ゲート管理装置以外のゲート管理装置に、以後通過情報を記憶させるべきゲート管理装置を特定するための特定情報を送信し、
当該ゲート管理装置以外のゲート管理装置の装置特定手段は、受信した前記特定情報に基づいてゲート管理装置の特定を行う
ことを特徴とする請求項１に記載のゲート管理システム。
【請求項３】
前記複数のゲート管理装置のうち、いずれかのゲート管理装置の記憶手段が所定時間のあいだ、通過情報を記憶した場合に、当該ゲート管理装置は、当該ゲート管理装置以外のゲート管理装置に、以後通過情報を記憶させるべきゲート管理装置を特定するための特定情報を送信し、
当該ゲート管理装置以外のゲート管理装置の装置特定手段は、受信した前記特定情報に基づいてゲート管理装置の特定を行う
ことを特徴とする請求項１に記載のゲート管理システム。
【請求項４】
前記複数のゲート管理装置のうち、いずれかのゲート管理装置の記憶手段が所定容量の通過情報を記憶した場合に、当該ゲート管理装置は、当該ゲート管理装置以外のゲート管理装置に、以後通過情報を記憶させるべきゲート管理装置を特定するための特定情報を送信し、
当該ゲート管理装置以外のゲート管理装置の装置特定手段は、受信した前記特定情報に基づいて、記憶手段の空容量が最も大きいゲート管理装置を特定する
ことを特徴とする請求項１に記載のゲート管理システム。
【請求項５】
物体のゲートの通過を検知し、検知の都度、通過に関する情報である通過情報を作成する通過情報作成手段と、
通過情報を外部に送信する送信手段と、
通過情報を記憶するための記憶手段と、
前記通過情報作成手段で作成した通過情報を、自装置または他の装置で記憶するかを決定する決定手段と、
前記決定された装置が、自装置であった場合には、前記通過情報作成手段で作成した通過情報を前記記憶手段に記憶し、他の装置であった場合には、前記通過情報作成手段で作成した通過情報を前記送信手段で送信する制御手段と
を備えることを特徴とするゲート管理装置。
【請求項６】
相互に通信可能に接続されている複数のゲート管理装置からなるゲート管理システムで用いられるゲート管理方法であって、
前記ゲート管理装置は、
物体のゲートの通過を検知し、検知の都度、通過に関する情報である通過情報を作成する通過情報作成ステップと、
通過情報をメモリに記憶するための記憶ステップと、
ゲート管理装置のうち、１の装置を特定する装置特定ステップと、
前記装置特定ステップで特定されたゲート管理装置が、自装置であった場合には、前記通過情報作成ステップで作成した通過情報および他のゲート管理装置から受信した通過情報のうち、いずれか一方を前記記憶ステップでメモリに記憶し、前記装置特定ステップで特定されたゲート管理装置が、他のゲート管理装置であった場合には、前記通過情報作成ステップで作成した通過情報を当該他のゲート管理装置に送信する制御ステップと
を備えることを特徴とするゲート管理方法。
【請求項７】
ゲート管理装置にゲート管理処理を行わせるためのコンピュータプログラムであって、
物体のゲートの通過を検知し、検知の都度、通過に関する情報である通過情報を作成する通過情報作成ステップと、
通過情報を外部に送信する送信ステップと、
通過情報をメモリに記憶するための記憶ステップと、
前記通過情報作成ステップで作成した通過情報を、自装置または他の装置で記憶するかを決定する決定ステップと、
前記決定された装置が、自装置であった場合には、前記通過情報作成ステップで作成した通過情報を前記記憶ステップでメモリに記憶し、他の装置であった場合には、前記通過情報作成ステップで作成した通過情報を前記送信ステップで送信する制御ステップと
を備えることを特徴とするコンピュータプログラム。
【発明の詳細な説明】
【技術分野】
【０００１】
本発明は、複数人の入退室を管理するシステムに関し、特に入退室履歴を記録するメモリ利用の効率化を図る技術に関する。
【背景技術】
【０００２】
従来から、入室が許可された者であることが確認された場合にのみ、扉の鍵が開き、入室できるような入退室管理システムが提供されている。
例えば、扉に電気錠とカードリーダが備えられ、入室したい者はカードリーダに認証用のカードを通し、認証されると電気錠が開錠され、部屋に入れるものである。
このような入退室管理システムは、各扉をネットワークで結び、認証を１つの認証装置で集中して行うものや、所定のエリア毎に管理装置を置き、エリア内の扉を管理するものなど様々な形態のシステムが考えられている（特許文献１参照）。
【０００３】
更に、認証結果により扉を開閉するだけでなく、認証結果や、入室した者を特定できる情報などの入退室履歴情報を記録しておくシステムがある。
通常、これらの入退室履歴情報は、扉を管理しているゲート管理装置が記憶しており、何時、誰が入室したのかなどがわかり、セキュリティ管理に寄与している。
【特許文献１】特開２００４−８４２７８号公報
【発明の開示】
【発明が解決しようとする課題】
【０００４】
しかし、施設内に複数の扉がある場合には、各扉を通過する者の数にバラツキがあるのが通常である。また、時間帯によっても、扉を通過する者の数にバラツキがある。
また、各扉のゲート管理装置に搭載されているメモリには、当然ながら限度があり、通常、メモリが一杯になれば、記録されている情報は古い情報であるとして、新しい情報を上書きしていく。
【０００５】
したがって、最近の情報しか記録されていないゲート管理装置と、古い情報を少量記憶するゲート装置とが並存することになり、メモリを有効に活用しているとは言い難い状態が生じている。
そこで、本発明は、施設内の扉を管理しているゲート管理装置の限られたメモリを有効に活用できるゲート管理システムの提供を目的とする。
【課題を解決するための手段】
【０００６】
上記課題を解決する為に、本発明のゲート管理システムは、相互に通信可能に接続されている複数のゲート管理装置からなるゲート管理システムであって、前記ゲート管理装置は、物体のゲートの通過を検知し、検知の都度、通過に関する情報である通過情報を作成する通過情報作成手段と、通過情報を記憶するための記憶手段と、ゲート管理装置のうち、１の装置を特定する装置特定手段と、前記装置特定手段で特定されたゲート管理装置が、自装置であった場合には、前記通過情報作成手段で作成した通過情報および他のゲート管理装置から受信した通過情報のうち、いずれか一方を前記記憶手段に記憶し、前記装置特定手段で特定されたゲート管理装置が、他のゲート管理装置であった場合には、前記通過情報作成手段で作成した通過情報を当該他のゲート管理装置に送信する制御手段とを備えることを特徴とする。
【０００７】
また、本発明のゲート管理装置は、物体のゲートの通過を検知し、検知の都度、通過に関する情報である通過情報を作成する通過情報作成手段と、通過情報を外部に送信する送信手段と、通過情報を記憶するための記憶手段と、前記通過情報作成手段で作成した通過情報を、自装置または他の装置で記憶するかを決定する決定手段と、前記決定された装置が、自装置であった場合には、前記通過情報作成手段で作成した通過情報を前記記憶手段に記憶し、他の装置であった場合には、前記通過情報作成手段で作成した通過情報を前記送信手段で送信する制御手段と  を備えることを特徴とする。
【発明の効果】
【０００８】
本発明に係るゲート管理システム及びゲート管理装置は、上述の構成を備えることにより、各ゲート管理装置が管理する扉を何かが通過しようとした情報を、自装置または他の装置で記録することができるので、できる限り上書きによって入退室履歴を消さずに、新しい履歴を記録できるようになる。すなわち、装置に搭載されているメモリを有効に利用できるようになる。
【０００９】
例えば、通過する社員等の数が多い扉を管理するゲート管理装置のメモリはすぐに一杯となり古い履歴は残っていないが、通過する社員等の数が少ない扉を管理するゲート管理装置には古い履歴から残っており且つメモリは空いているということが起こり得るが、このような事をなくすことが可能になる。
すなわち、本発明により、ゲート管理装置が管理する扉の通過頻度によらず、全装置が均等に入退室情報を保持するからであり、メモリの使用効率が良くなる。
【００１０】
従って、システム全体でメモリの容量を考慮すればよくなり、特定のゲート管理装置のメモリを増設するなどせずとも、必要な情報を記録することができるようになる。
また、前記装置特定手段は、前記複数のゲート管理装置のうち、いずれかのゲート管理装置の記憶手段が所定数の通過情報を記憶した場合に、当該ゲート管理装置は、当該ゲート管理装置以外のゲート管理装置に、以後通過情報を記憶させるべきゲート管理装置を特定するための特定情報を送信し、当該ゲート管理装置以外のゲート管理装置の装置特定手段は、受信した前記特定情報に基づいてゲート管理装置の特定を行うこととしてもよい。
【００１１】
これにより、所定の数の通過情報を記録したら、記録先装置の変更を行うことが可能となるので、メモリを満遍なく利用することができるようになる。
また、前記複数のゲート管理装置のうち、いずれかのゲート管理装置の記憶手段が所定時間のあいだ、通過情報を記憶した場合に、当該ゲート管理装置は、当該ゲート管理装置以外のゲート管理装置に、以後通過情報を記憶させるべきゲート管理装置を特定するための特定情報を送信し、当該ゲート管理装置以外のゲート管理装置の装置特定手段は、受信した前記特定情報に基づいてゲート管理装置の特定を行うこととしてもよい。
【００１２】
これにより、所定時間の間、通過情報を記録したら、記録先装置の変更を行うことが可能となるので、通過情報が頻繁に発生する時間帯や扉を考慮することで、メモリを満遍なく利用することができるようになる。
例えば、社員が多く通過する時間帯は、メモリ容量が大きい装置を記録先装置として割り当てるなどである。
【００１３】
また、前記複数のゲート管理装置のうち、いずれかのゲート管理装置の記憶手段が所定容量の通過情報を記憶した場合に、当該ゲート管理装置は、当該ゲート管理装置以外のゲート管理装置に、以後通過情報を記憶させるべきゲート管理装置を特定するための特定情報を送信し、当該ゲート管理装置以外のゲート管理装置の装置特定手段は、受信した前記特定情報に基づいて、記憶手段の空容量が最も大きいゲート管理装置を特定することとしてもよい。
【００１４】
これにより、所定量の通過情報を記録したら、記録先装置の変更を行うことが可能となり、メモリの空容量が大きい装置を記録先装置とすることができるので、メモリを満遍なく利用することができるようになる。また、システム全体として、メモリを最大限に利用することができ、履歴をより多く記録できるという利点がある。
最も空容量が大きいメモリを有するゲート管理装置が記録先装置となるので、時間を追うごとにメモリの空容量が均等化され、システム構成が変更されても容易に対応が可能となる。
【００１５】
すなわち、容量変更、装置の追加、障害等で切離す場合でも、装置間でそれぞれの空容量を通知しあうため、記録先装置を変更するための条件、例えば、記録する装置の順番などを設定し直さなくても、自動的に記録先を変更しメモリを有効に利用することが可能となる。
【発明を実施するための最良の形態】
【００１６】
＜実施形態１＞
＜概要＞
本発明に係るゲート管理システムは、扉を管理するゲート管理装置同士を、データのやり取りができるようにネットワークで結び、互いに、入退室履歴情報を記録し合うシステムである。
【００１７】
すなわち、自装置が管理する扉の入退室履歴情報は全て自装置が記録するのではなく、所定の規則に基づいて、他のゲート管理装置に記録してもらい、また、他のゲート管理装置の履歴情報を記録することで、システム全体としてメモリの利用効率を高めるものである。
以下、本発明であるゲート管理システムの例を説明する。
【００１８】
この例は、ある会社の入退室管理システムであり、社員は入退室の際に、扉の横にあるテンキー付きのカードリーダで、社員ＩＤが記録されたカードを読み込ませて、自分の暗証番号を入力し、扉を開くものとする。
また、入退室情報を記録する方法は、あるゲート管理装置を記録先装置として特定し、ある一定の情報を記録したら、記録先装置を順次変えていくこととする。記録先装置は全ての扉の入退室情報を記録する。順次記録先の装置を変えていき、各装置のメモリを満遍なく使用する。
【００１９】
＜構成＞
まず、本発明の実施形態に係るゲート管理システムの構成例について図１を用いて説明する。
図１は、ゲート管理システムの構成例を表す図である。
ゲート管理システムは、互いにネットワーク接続された複数のゲート管理装置で構成されている。ゲート管理装置はそれぞれ、１以上の扉を管理している。
【００２０】
本来、ゲート管理装置は、数多くあることが想定されるが、本図では、説明の便宜上、ゲート管理装置１０００とゲート管理装置２０００との２つのゲート管理装置を記載している。
ゲート管理装置１０００、ゲート管理装置２０００などのゲート管理装置は、ネットワーク１０で接続されており、全てのゲート管理装置は、基本的に同じ構成を有している。但し、記憶しているデータが若干異なる。この違いについては、後述の＜データ＞で説明する。
【００２１】
従って、ここでは、ゲート管理装置１０００の構成のみを説明することとし、以下、ゲート管理装置１０００の構成を示す機能ブロックを説明する。
ゲート管理装置１０００は、制御部１１００、接続情報記憶部１２００、認証情報記憶部１３００、入退室履歴記憶部１４００、通信部１５００、記録先装置特定部１６００、認証部１７００および入退室履歴作成部１８００から構成される。
【００２２】
まず、制御部１１００は、図示しないＣＰＵ、メモリ等を備え、各機能部への実行指示や扉の開閉などの制御処理を行う機能を有する。
接続情報記憶部１２００は、本ゲート管理システムを構成するゲート管理装置に関する情報である接続情報１２１０と、記録先装置等の情報である記録先情報１２２０とを記憶しておく機能を有する。
【００２３】
また、認証情報記憶部１３００は、社員のＩＤとその社員の暗証番号とから成る認証情報１３１０を記憶しておく機能を有する。
入退室履歴記憶部１４００は、どの扉を何時誰が通過したのか等の入退室情報１４２０を蓄積し、入退室履歴情報１４１０として記憶しておく機能を有する。
この入退室履歴記憶部１４００には、自装置が管理する扉の入退室履歴だけでなく、他の装置が管理する扉の入退室履歴も記憶している。
【００２４】
これら記憶部に記録されるデータの内容に関しては、後述の＜データ＞で詳細に説明する。
次に、通信部１５００は、ネットワーク１０を介して、他のゲート管理装置とデータをやり取りする機能を有する。
記録先装置特定部１６００は、現時点での入退室に関する情報をどのゲート管理装置に記憶するかを管理する機能を有する。
【００２５】
具体的には、制御部１１００からの記録先の問い合わせに対して、自装置の入退室履歴記憶部１４００に記憶するのか、また、他のゲート管理装置に記録するならば、どのゲート管理装置であるかを返す機能を有する。
また、この記録先装置特定部１６００は、適時、記録先を変更する機能を有する。記録先を変更するタイミングは、本実施形態では、２つある。1つは、記録先が自装置であり、所定数の入退室情報１４２０を記録した時点で次の装置に変更する場合である。２つ目は、記録先を変更する旨の通知を、制御部１１００等を介して他の装置から受けた場合である。
【００２６】
認証部１７００は、入退室しようとする社員が、入室等ができるか否かを判断する機能を有する。判断は、認証情報記憶部１３００に記憶されている認証情報１３１０を基に判断する。
入退室履歴作成部１８００は、自装置が管理している扉を何時誰が通過したのか等の入退室情報１４２０を作成し、制御部１１００の指示に応じて、入退室履歴記憶部１４００の入退室履歴情報１４１０に追加して記憶させるか、または、制御部１１００に渡す機能を有する。
【００２７】
次に、ゲート管理装置１０００が管理している扉１０１０の構成を示す機能ブロックを説明する。
扉１０１０は、電気錠１０１１、入室用リーダ１０１２、退室用リーダ１０１３および図示していないドアから構成される。
電気錠１０１１は、ドアを通行可能状態と通行不可能状態にするために、ドアを開錠及び施錠する機能を有し、ゲート管理装置１０００の制御部１１００からの指示により開錠又は施錠を行う機能を有する。
【００２８】
入室用リーダ１０１２は、カードリーダと暗証入力用のテンキーを備え、該当する部屋の外側に設置されている。入室しようとする社員のカードから読み取った社員ＩＤと、テンキーで入力された暗証番号とをゲート管理装置１０００の制御部１１００に渡す機能を有する。
また、退室用リーダ１０１３は、該当する部屋の内側に設置されており、入室用リーダ１０１２と同様の機能を有する。
【００２９】
また、ゲート管理装置２０００は、制御部２１００、接続情報記憶部２２００、認証情報記憶部２３００、入退室履歴記憶部２４００、通信部２５００、記録先装置特定部２６００、認証部２７００および入退室履歴作成部２８００から構成され、それぞれ、ゲート管理装置１０００の、制御部１１００、接続情報記憶部１２００、認証情報記憶部１３００、入退室履歴記憶部１４００、通信部１５００、記録先装置特定部１６００、認証部１７００および入退室履歴作成部１８００と同様の機能を有している。
【００３０】
さらに、ゲート管理装置２０００が管理している扉２０１０は、電気錠２０１１、入室用リーダ２０１２、退室用リーダ２０１３および図示しないドアから構成され、それぞれ、  扉１０１０の電気錠１０１１、入室用リーダ１０１２、退室用リーダ１０１３と同様の機能を有している。
ここで制御部１１００等の各部による各処理の全部または一部は、ＣＰＵが各種プログラムを実行することにより実現されるものである。
【００３１】
＜データ＞
以下、本発明であるゲート管理システムが用いる主なデータについて、図２〜図４を用いて説明する。
図２は、接続情報記憶部１２００に記憶されているデータの例を示す図であり、図２（ａ）は、接続情報１２１０の内容例を示す図であり、図２（ｂ）は記録先情報１２２０の内容例を示す図である。
【００３２】
まず、図２（ａ）に示す接続情報１２１０は、ゲート管理装置ＩＤ１２１１、アドレス１２１２およびデータ数１２１３で構成される。この接続情報１２１０は、全てのゲート管理装置で同じものを各接続情報記憶部１２００に記憶している。
ゲート管理装置ＩＤ１２１１は、システムを構成するゲート管理装置の識別子である。
アドレス１２１２は、通信を行なうための、ゲート管理装置ＩＤ１２１１で表されるゲート管理装置のＩＰアドレス等のアドレスである。
【００３３】
データ数１２１３は、ゲート管理装置ＩＤ１２１１で表されるゲート管理装置が記録する入退室情報１４２０の数を表す。
本実施形態では、接続情報１２１０のゲート管理装置ＩＤ１２１１に示される順に、記録先を順次変えていくこととし、記録先となった装置は、このデータ数１２１３で表される個数の入退室情報を記憶したら記録先を変更することとする。
【００３４】
例えば、ゲート管理装置ＩＤ１２１１が「Ｇ１００」で表されるゲート管理装置は、そのアドレスが「ａｄｄｒ＿１００」であり、データ数１２１３「８」個の入退室情報を、記録先として順番が回ってくる度に記録する。
このデータ数１２１３は、ゲート管理装置が搭載するメモリ量に応じて決めたり、同じ数にするなどであってもよい。
【００３５】
次に、図２（ｂ）に示す記録先情報１２２０は、自装置ＩＤ１２２１、記録先装置ＩＤ１２２２およびゲート管理装置数１２２３で構成される。この記録先情報１２２０は、全てのゲート管理装置で、自装置ＩＤ１２２１を除いて同じものを各接続情報記憶部１２００に記憶している。
自装置ＩＤ１２２１は、自装置を表すゲート管理装置ＩＤであって、該当するゲート管理装置ＩＤ１２１１である。従って、この自装置ＩＤ１２２１の内容は、ゲート管理装置ごとに異なる。
【００３６】
記録先装置ＩＤ１２２２は、現時点での入退室情報を記録するゲート管理装置を表すゲート管理装置ＩＤ１２１１である。この内容は、各装置の記録先装置特定部（１６００等）によって、更新される。
ゲート管理装置数１２２３は、本システムを構成するゲート管理装置の個数を表している。本実施形態では、接続情報１２１０のゲート管理装置ＩＤ１２１１は、最初のゲート管理装置ＩＤ１２１１からゲート管理装置数１２２３の個数分有効とする。
【００３７】
次に、図３は、認証情報１３１０の内容例を示す図である。
この認証情報１３１０は、認証情報記憶部１３００に記憶されており、全ゲート管理装置で基本的に同じ内容である。但し、扉によって入退室が許されない社員がある場合は、その旨の情報があってもよい。本実施形態では、説明の便宜上、同じ内容であるとする。
認証情報１３１０は、社員ＩＤ１３１１と暗証番号１３１２とで構成される。
【００３８】
社員ＩＤ１３１１は、社員の識別子である。
暗証番号１３１２は、社員固有の暗証番号であり、社員ＩＤ１３１１と対応する。入室用リーダ等でカードから読み込まれた社員ＩＤ１３１１とテンキーで入力された暗証番号１３１２との対応が取れた場合に、認証されたものと判断される。
図４は、入退室履歴に関する情報であり、図４（ａ）は入退室情報１４２０の内容例を示す図であり、図４（ｂ）は入退室履歴情報１４１０の内容例を示す図である。
【００３９】
この入退室履歴情報１４１０は、入退室履歴記憶部１４００に記憶されており、その内容は、ゲート管理装置ごとに異なる。入退室履歴情報１４１０は、複数の入退室情報１４２０で構成されている。
図４（ａ）の入退室情報１４２０は、１つの扉を１回通過しようとした際に、1つ作成され、記録先装置にも、この形式で送信される。
【００４０】
入退室情報１４２０は、扉１４１１、日時１４１２、社員ＩＤ１４１３および通行可否結果１４１４で構成される。
扉１４１１は、社員が通過しようとした扉と、入室、退室どちらをしようとしたのかを示している。例えば、最初の入退室情報１４２０の扉１４１１「Ｇ１００Ａ−入」は、扉「Ｇ１００Ａ」の「入室用リーダ」を操作したことを表す。
【００４１】
尚、「Ｇ１００」はゲート管理装置ＩＤ１２１１「Ｇ１００」で表されるゲート管理装置が管理している扉であることを表し、「Ａ」は扉の識別子であり、「入」は入室用リーダ１０１２を、「退」は退室用リーダ１０１３を操作したことを表している。
日時１４１２は、社員が入室用リーダ１０１２または退室用リーダ１０１３を操作した時間を表している。
【００４２】
社員ＩＤ１４１３は、入退室を行おうとした社員の社員ＩＤを表している。
通行可否結果１４１４は、実際に通行が行われたか、すなわち、認証が成功したか否かが示される。「ＯＫ」は認証が成功して、社員が扉を通過した場合を示し、「ＮＧ」は認証が失敗した場合を示している。
図４（ｂ）の入退室履歴情報１４１０は、入退室情報１４２０を蓄積したものであり、構成は入退室情報１４２０と同様である。
【００４３】
＜動作＞
以下、上述したゲート管理システムの動作について図５を用いて説明する。
図５は、記録先装置がゲート管理装置２０００である場合の各ゲート管理装置の処理を示すフローチャートである。
この図では、２つの処理を説明する。
【００４４】
1つは、あるゲート管理装置が管理する扉を社員が通過し、その入退室情報を他のゲート管理装置が記録する場合の処理であり、２つ目は、記録先装置を変更する場合の処理である。
前提として、最初に記録先のゲート管理装置の決め方について説明する。
＜記録先のゲート管理装置の決め方＞
各ゲート管理装置の接続情報記憶部１２００に記憶されている接続情報１２１０の順番にきめられていくものとする。例えば、最初はゲート管理装置ＩＤ１２１１が「Ｇ１００」の装置、次が「Ｇ２００」の装置というようにである。
【００４５】
次の装置に変更するタイミングは、データ数１２１３の数分の入退室情報１４２０を記憶したときである。例えば、「Ｇ１００」の装置が記録先装置とすると、８つの入退室情報１４２０を記憶したら、記録先を変更する旨を他の全ゲート管理装置に対して通知する。変更後の記録先装置は、「Ｇ２００」の装置となる。
この変更を最後の装置まで行ったら、また最初から繰り返す。この繰返しが行われる装置の個数は、ゲート管理装置数１２２３の値である。例えば、「８」であれば、上から８つの装置が順番で記録先装置となることになる。
【００４６】
新しい装置が追加、削除されれば、この数もそれに合わせて変わることになる。
＜入退室情報を他のゲート管理装置が記録する場合の処理＞
まず、1つ目の処理として、ゲート管理装置１０００の管理する扉を社員が通過し、その入退室情報１４２０をゲート管理装置２０００が記録する場合の処理を説明する。
尚、ゲート管理装置１０００のゲート管理装置ＩＤ１２１１は「Ｇ１００」、ゲート管理装置２０００のゲート管理装置ＩＤ１２１１は「Ｇ２００」とする。
【００４７】
また、各ゲート管理装置は同じ機能を有することから、同じフローチャートであるが、入退室情報を送信する側、受信して記憶する側、それぞれで実行されるルートを太線で示している（図６も同様）。
まず、ある社員がゲート管理装置１０００の管理する扉であって、扉の識別子が「Ａ」の扉１０１０を通過しようとする。扉１０１０の入室用リーダ１０１２のカードリーダに自分のＩＤカードを通し、テンキーで暗証番号を入力する。
【００４８】
入室用リーダ１０１２は、通されたカードから社員ＩＤ１３１１を読み込み、テンキーの押下を検知し暗証番号１３１２を取得して、制御部１１００に渡す。
制御部１１００は、受取った社員ＩＤ１３１１と暗証番号１３１２とを認証部１７００に渡し、認証を依頼する。この際、内蔵するタイマ（図示していない）から、現在の日付と時刻とを取得し作業領域（図示していない）に記憶しておく。
【００４９】
認証を依頼された認証部１７００は、認証情報記憶部１３００に記憶されている認証情報１３１０を参照し、渡された社員ＩＤ１３１１と暗証番号１３１２とが対になっているか否かを判断する（ステップＳ１００）。判断結果を、制御部１１００に返す。
判断結果を受取った制御部１１００は、対になっている場合、すなわち、認証が成功した場合は電気錠１０１１に開錠する旨の指示を出し、認証が成功しなかった場合は、電気錠１０１１に指示は行わない。
【００５０】
例えば、社員ＩＤ１３１１が「000000001」で、暗証番号１３１２が「1234」であった場合は、認証が成功したと判断される。
その後、制御部１１００は、社員ＩＤ，判断結果、扉の識別子および作業領域に記憶していた日付と時間とを入退室履歴作成部１８００に渡し、入退室情報１４２０の作成を依頼する。
【００５１】
依頼を受けた入退室履歴作成部１８００は、入退室情報１４２０を作成する（ステップＳ１１０）。
例えば、扉１４１１が「Ｇ１００Ａ−入」、日時１４１２が「2005/09/14 11:40」、社員ＩＤ１４１３が「000000001」、通行可否結果１４１４が「ＯＫ」である。
入退室履歴作成部１８００に入退室情報１４２０の作成を依頼した制御部１１００は、同時に、記録先装置特定部１６００に記録先を問い合わせる。
【００５２】
問い合わせを受けた記録先装置特定部１６００は、接続情報記憶部１２００に記憶されている記録先情報１２２０を参照し、自装置ＩＤ１２２１と記録先装置ＩＤ１２２２を読み出す。
記録先装置特定部１６００は、記録先として、読み出した自装置ＩＤ１２２１と記録先装置ＩＤ１２２２とが同じであればその旨を、異なれば記録先装置ＩＤ１２２２のアドレス１２１２を制御部１１００に返す（ステップＳ１２０）。
【００５３】
記録先を受取った制御部１１００は、記録先が自装置であれば（ステップＳ１２０：自装置）、その旨を入退室履歴作成部１８００に通知し、作成した入退室情報１４２０を入退室履歴記憶部１４００の入退室履歴情報１４１０に追加して記憶させるよう指示する。入退室履歴作成部１８００は、入退室履歴情報１４１０を入退室履歴情報１４１０に追加し記憶させる（ステップＳ１３０）。
【００５４】
記録先が他装置であれば（ステップＳ１２０：他装置）、作成した入退室情報１４２０を入退室履歴作成部１８００から受け取り、記録先装置特定部１６００から受取ったアドレス１２１２とともに、通信部１５００に渡し、送信を依頼する。
例えば、自装置ＩＤ１２２１が「Ｇ１００」、記録先装置ＩＤ１２２２が「Ｇ２００」の場合は、他装置と判断され、ゲート管理装置ＩＤ１２１１が「Ｇ２００」に対応するアドレス１２１２「addr_200」がアドレスとして通信部１５００に渡されることになる。
【００５５】
送信依頼を受けた通信部１５００は、入退室情報１４２０をアドレス１２１２宛に送信する（ステップＳ１４０）。
送信された入退室情報１４２０は、ネットワーク１０を介して、ゲート管理装置２０００の通信部２５００が受信する（ステップＳ１４１）。
記録先装置であるゲート管理装置２０００の通信部２５００は、受信した入退室情報１４２０を制御部２１００に渡す。
【００５６】
通信部２５００から入退室情報１４２０を受取った制御部２１００は、入退室履歴作成部２８００に受信した入退室情報１４２０を渡し、記憶する旨の指示を出す。
指示を受けた入退室履歴作成部２８００は、入退室履歴記憶部２４００に記憶させる（ステップＳ２３０）。
例えば、入退室履歴記憶部２４００の入退室履歴情報１４１０には、扉１４１１が「Ｇ１００Ａ−入」、日時１４１２が「2005/09/14 11:40」、社員ＩＤ１４１３が「000000001」、通行可否結果１４１４が「ＯＫ」の入退室情報１４２０が記録される。
【００５７】
記録先であるゲート管理装置２０００の管理する扉を社員が通過しようとした場合は、ゲート管理装置１０００と同様の動作を行う。すなわち、社員の認証がなされ（ステップＳ２００）、入退室情報１４２０が作成され（ステップＳ２１０）、記録装置は自装置であると判断され（ステップＳ２２０）、入退室情報１４２０は入退室履歴記憶部２４００に記憶させる（ステップＳ２３０）。
【００５８】
ゲート管理装置２０００が記録先装置でなくなった場合には、入退室情報１４２０を記録先装置に送信する（ステップＳ２４０）。
＜記録先装置を変更する場合の処理＞
次に、記録先装置を変更する場合について説明する。
制御部２１００は、予め記録先装置特定部２６００に自装置の入退室情報１４２０を記録する数を問い合わせて、記憶しておくものとする。例えば、初期処理で、記録先装置特定部２６００は、接続情報記憶部２２００の接続情報１２１０を参照し、自装置ＩＤ１２２１のゲート管理装置ＩＤ１２１１に対応するデータ数１２１３を制御部に知らせる。
【００５９】
記録先装置であるゲート管理装置２０００の制御部２１００は、入退室履歴作成部２８００に、自装置が管理する扉の入退室情報１４２０と他の装置から送られてくる入退室情報１４２０とを、入退室履歴記憶部２４００に記憶させる（ステップＳ２３０）。
制御部２１００は、今回記録先装置となった時点から、記録した入退室情報１４２０の数をカウントしておき、データ数１２１３に達したら（ステップＳ２５０：Ｙ）、記録先を変更する旨の通知を他の全てのゲート管理装置に送るよう通信部２５００に指示する。
【００６０】
指示を受けた通信部２５００は、記録先を変更する旨の通知を全装置に対して送信する。
また、制御部２１００は、記録先装置特定部２６００に対して、記録先を変更するよう依頼する（ステップＳ１６１）。
依頼を受けた記録先装置特定部２６００は、接続情報記憶部２２００に記憶されている記録先情報１２２０の記録先装置ＩＤ１２２２を更新する（ステップＳ２６０）。すなわち、現在の記録先装置ＩＤ１２２２が「Ｇ１００」であれば、接続情報１２１０のゲート管理装置ＩＤ１２１１が「Ｇ１００」の次のゲート管理装置ＩＤ１２１１「Ｇ２００」を、新しい記録先装置ＩＤ１２２２とする。
【００６１】
尚、制御部２１００は、自装置が記録先装置でない場合に送られてきた入退室情報１４２０を記録はするものとするが、カウントは行わないものとする。
＜変形例＞
実施形態１では、記録先のゲート管理装置の決め方において、次の装置に変更するタイミングは、データ数１２１３の数分の入退室情報１４２０を記憶したときであるとしていた。（上述した＜記録先のゲート管理装置の決め方＞参照。）
本変形例では、記録したデータの数ではなく、時間を用いる点が異なる。
【００６２】
すなわち、所定時間の間、入退室情報１４２０を記録したら、次の記録先に更新する。
＜データ＞
本変形例で用いるデータに関して、実施形態１と異なるのは接続情報１２１０のみである。
図１１に、本変形例の接続情報９２１０の内容例を示す。
【００６３】
この接続情報９２１０と実施形態１の接続情報１２１０との違いは、データ数１２１３の替わりに期間９２１１を記憶していることである。
例えば、ゲート管理装置ＩＤ１２１１が「Ｇ１００」で表される装置が記録先となった場合には、期間９２１１「２０」分の間、自装置および他装置からの入退室情報１４２０を記録する。
【００６４】
＜動作＞
本変形例と実施形態１との動作の違いは、図５のフローチャートのステップＳ２５０およびステップＳ１５０である。
実施形態１では、制御部２１００は記録した入退室情報１４２０の数をカウントしていたが、その代わりに、時間をカウントする。時間は、内蔵するタイマから得るものとする。
【００６５】
制御部２１００は、記録先装置となった時から時間をカウントし始め、自装置の期間９２１１が経過したら、記録先を変更する旨の通知を他の全てのゲート管理装置に送るよう通信部２５００に指示する
例えば、ゲート管理装置ＩＤ１２１１が「Ｇ２００」で表される装置が記録先となった場合には、期間９２１１「６０」分経過したら、記録先を変更する旨の通知を送る。
【００６６】
この場合、メモリを効率よく利用できることに加え、例えば、時間的に社員の入退室が集中する時間帯に、入退室履歴記憶部の容量が大きい装置を記録先装置としたり、入退室が集中する扉を記録先装置としたりすることで、ネットワーク上を流れるデータ量を必要最小限にでき、社員は入退室をスムーズに行うことができるようになる。
＜実施形態２＞
実施形態１においては、記録先装置の更新指示により記録先装置となっていない装置であっても、他のゲート管理装置から送られてくる入退室情報１４２０は、全て記録する。
【００６７】
記録先装置を自装置から他の装置へ更新が行われた直後に、入退室情報１４２０を受信する場合があるからである。
例えば、記録先装置の変更が行われるときとほぼ同時に複数人の入退室が発生したり、ネットワークの渋滞など何らかの理由で、情報の受信タイミングが遅れた場合である。
実施形態１では、受信された入退室情報を全て記録することで、現時点では記録先装置ではない前の記録先装置が受信してしまった場合にも、記録の漏れをなくすことができるようにしている。
【００６８】
本実施形態では、このような場合にも、正しい記録先装置に入退室情報１４２０が記録されるようにしたものである。
つまり、記録先装置を変更する旨の通知を出した装置、すなわち前記録先装置が入退室装置を受信した場合には、現記録先装置に転送することで、正しい記録先装置に記録される。
【００６９】
本実施形態で用いるデータは、実施形態１で用いるものと同じである。
以下、本実施形態の動作について、説明する。
＜動作＞
図６は、記録先装置であるゲート管理装置の処理を示すフローチャートである。
図５に示す実施形態１のフローチャートと異なる点は、他のゲート管理装置から送信されてきた入退室情報を必ずしも自装置に記録するわけではない点である。
【００７０】
すなわち、他のゲート管理装置から入退室情報を受信した場合に、既に自装置が記録先装置ではなくなっている場合には、現在の記録先装置に転送することである。
入退室情報１４２０を送信する側の装置の動作と、現在の記録先装置の動作は、実施形態１の動作と同様である。
従って、ここでは、入退室情報１４２０を送信する側の装置の動作と前記録先装置の動作について、図５のフローチャートとの相違点のみを説明する。
【００７１】
送信する側の通信部１５００は、入退室情報１４２０をアドレス１２１２宛に送信する（ステップＳ１４０）。
送信された入退室情報１４２０は、ネットワーク１０を介して、ゲート管理装置２０００の通信部２５００が受信する（ステップＳ３００）。
通信部２５００を介して、受信した入退室情報１４２０を受取った制御部２１００は、まず、自装置が記録先装置であるか否かを記録先装置特定部２６００に問い合わせる（ステップＳ３１０）。
【００７２】
問い合わせを受けた記録先特定部２６００は、自装置ＩＤ１２２１と記録先装置ＩＤ１２２２とが同じである場合は、自装置が記録先装置である旨を、異なる場合は、自装置が記録先装置ではない旨と記録先装置ＩＤ１２２２のアドレス１２１２とを通知する（図２参照）。
自装置が記録先装置ではない旨の通知を受けた制御部２１００は（ステップＳ３１０：他装置）、入退室情報１４２０を通知されたアドレス宛に送信する。すなわち、通信部２５００に指示する（ステップＳ３２０）。
【００７３】
また、自装置が記録先装置である旨の通知を受けた制御部２１００は（ステップＳ３１０：自装置）、入退室履歴作成部２８００に受信した入退室情報１４２０を渡し、記憶する旨の指示を出す。
本実施形態の場合は、本来の記録先装置に入退室情報が記録され、メモリの有効利用が予定通りに行えるという利点がある。
【００７４】
＜実施形態３＞
実施形態１では、記録先装置を1装置としているが、本実施形態では２装置である点が異なる。
すなわち、バックアップ機能を持たせたものである。従って、ゲート管理装置が故障した場合に、入退室情報が紛失してしまう可能性が低くなるという利点がある。
【００７５】
＜データ＞
本実施形態で用いるデータに関して、実施形態１と異なるのは記録先情報７２２０のみである。
図８に、本実施形態の記録先情報７２２０の内容例を示す。
この記録先情報７２２０と実施形態１の記録先情報１２２０との違いは、記録先装置ＩＤを２つ持っている点である。記録先装置ＩＤ−１（７２２１）と記録先装置ＩＤ−２（７２２２）とである。
【００７６】
＜動作＞
本実施形態と実施形態１との動作の違いは、図５のフローチャートのゲート管理装置（記録先装置以外）１０００の側、すなわち情報を送信する側の装置の動作である。
図７を用いて、ゲート管理装置１０００の動作を説明する。
図５のゲート管理装置１０００のフローのステップＳ１２０とステップＳ１４０とが異なる。ここでは、異なる点のみを説明する。
【００７７】
社員が扉を通過しようとし、制御部１１００は、入退室情報１４２０の作成を入退室履歴作成部１８００に対して行うとともに、記録先装置特定部１６００に記録先を問い合わせる。
制御部１１００から、記録先の問い合わせを受けた記録先装置特定部１６００は、接続情報記憶部１２００に記憶されている記録先情報７２２０を参照し、自装置ＩＤ１２２１と記録先装置ＩＤ−１（７２２１）と記録先装置ＩＤ−２（７２２２）とを読み出す。
【００７８】
記録先装置特定部１６００は、記録先として、読み出した自装置ＩＤ１２２１と記録先装置ＩＤ−１または記録先装置ＩＤ−２とが同じであればその旨と、自装置以外の記録先装置ＩＤ−１または記録先装置ＩＤ−２のアドレス１２１２とを制御部１１００に返す。また、異なればその旨と、記録先装置ＩＤ−１と記録先装置ＩＤ−２のアドレス１２１２を制御部１１００に返す（ステップＳ４００）。
【００７９】
記録先を受取った制御部１１００、記録先に自装置が含まれれば（ステップＳ４００：含自装置）、その旨を入退室履歴作成部１８００に通知し、作成した入退室情報１４２０を入退室履歴記憶部１４００に記憶させる（ステップＳ１３０）。
それと同時に、作成した入退室情報１４２０を入退室履歴作成部１８００から受け取り、記録先装置特定部１６００から受取った自装置以外のアドレス１２１２とともに、通信部１５００に渡し、送信を依頼する（ステップＳ４１０）。
【００８０】
一方、記録先が他装置のみであれば（ステップＳ４００：他装置のみ）、作成した入退室情報１４２０を入退室履歴作成部１８００から受け取り、記録先装置特定部１６００から受取った２つのアドレス１２１２とともに、通信部１５００に渡し、送信を依頼する（ステップＳ４２０、ステップＳ４３０）。
例えば、自装置ＩＤ１２２１が「Ｇ１００」、記録先装置ＩＤ−１（７２２１）が「Ｇ２００」、記録先装置ＩＤ−２（７２２２）が「Ｇ２００」の場合は、他装置のみと判断され、ゲート管理装置ＩＤ１２１１が「Ｇ２００」と「Ｇ３００」に対応するアドレス２つがアドレスとして通信部１５００に渡されることになる。
【００８１】
送信依頼を受けた通信部１５００は、入退室情報１４２０をアドレス１２１２宛に送信する。
＜実施形態４＞
実施形態１では、記録先のゲート管理装置の決め方において、次の装置に変更するタイミングは、データ数１２１３の数分の入退室情報１４２０を記憶したときであるとしていた。（上述した＜記録先のゲート管理装置の決め方＞参照。）
本実施形態では、記録したデータの数ではなく、ゲート管理装置のメモリの空容量によって、次の記録先装置を決定する点が異なる。
【００８２】
＜データ＞
本実施形態用いるデータに関して、実施形態１と異なるのは接続情報１２１０のみである。
図１０に、本実施形態の接続情報８２１０の内容例を示す。
この接続情報８２１０と実施形態１の接続情報１２１０との違いは、データ数１２１３の替わりに空容量２２１１を記憶していることである。
【００８３】
＜動作＞
本実施形態と実施形態１との動作の違いは、図５のフローチャートのゲート管理装置（記録先装置以外）２０００の側、すなわち、記録先装置の側の動作である。
図９を用いて、ゲート管理装置２０００の動作を説明する。
図５のゲート管理装置２０００のフローのステップＳ２５０とステップＳ２６０とが異なる。ここでは、それらに対応するステップＳ５００、ステップＳ５１０およびステップＳ５２０のみを説明する。
【００８４】
記録先装置であるゲート管理装置２０００の制御部２１００は、入退室履歴作成部２８００に、自装置が管理する扉の入退室情報１４２０および他の装置から送られてくる入退室情報１４２０を、入退室履歴記憶部２４００に記憶させる（ステップＳ２３０）。
制御部２１００は、同時に、今回記録先装置となった時点から、記録した入退室情報１４２０の総容量数を記憶しているものとし、記憶している総量を更新する（ステップＳ５００）。
【００８５】
制御部２１００が記憶している今回の総容量が規定の容量に達したら（ステップＳ５１０：規定値以上）、当該装置の空容量８２１１と記録先装置とを変更する旨の通知を他の全てのゲート管理装置に送るよう通信部２５００に指示する（ステップＳ５２０、ステップＳ５２１）。
同時に、記録先装置特定部２６００に、自装置の空容量と記録先装置とを更新する旨指示する。指示を受けた記録先装置特定部２６００は、接続情報８２１０の自装置に対応する空容量８２１１と記録先装置ＩＤ１２２２とを更新する。
【００８６】
記録先装置としては、その時点での空容量が最も大きい装置とする。
また、その旨を受信した他の装置は、自装置内の接続情報８２１０の現記録先装置の空容量を更新し、記録先装置を次の装置とする。
一方、規定の容量に達しない場合（ステップＳ５１０：規定値未満）は、続いて入退室情報を記憶する。
【００８７】
＜補足＞
以上、本発明に係るゲート管理システムについて実施形態に基づいて説明したが、このシステムを部分的に変形することもでき、本発明は上述の実施形態に限られないことは勿論である。即ち、
（１）実施形態では、記録先装置の変更のタイミングを、入退室情報の記憶数や時間、メモリ容量等としているが、それらを組み合わせて変更のタイミングを決定することとしてもよい。
【００８８】
例えば、全装置の中で、最も空容量が大きいものを次の記録先装置とし、全ての装置の空容量が均等化したら、各装置に応じた入退室情報の数分を記録するようにするなどである。
また、空容量が同じである場合は、現記録先装置を優先する、接続情報の最初の方の装置を優先するなどとしてもよい。
（２）実施形態４では、空容量が最も大きいメモリのゲート管理装置を次の記録先装置としていたが、それに限られず、少なくとも、空容量を有している装置を記録先装置とすることとしてもよい。
【００８９】
例えば、所定容量以上のメモリを持つ装置から選択することとしてもよい。
（３）実施形態１の変形例では、所定の期間が経過すると、記録先装置が他の装置に記録先変更の指示を出すこととしているが、各ゲート管理装置が、時間を測定しておいて、記録先装置を順次時間が来たら変更することとしてもよい。
この場合、例えば、制御部が時間をカウントしてもよいし、記録先装置特定部がカウントすることとしてもよい。
【００９０】
各装置の時間の同期が取れれば、ネットワークを介して記録先変更の指示が送信される場合のタイムラグが生じ得ないという利点がある。
（４）実施形態２では、遅れて受信した情報は、現記録先装置に転送することとしているが、これに限られない。
例えば、入退室情報に記録先装置の情報を含ませておいて、含まれている記録先装置が自装置と異なる場合に、転送することとしてもよい。
（５）実施形態では、記録先装置から他の全ゲート管理装置に、記録先装置を変更する旨の通知を記録先装置を変更するタイミングとして送信することとしているが、次の記録先を特定できる情報、例えば、次の記録先となるゲート管理装置の識別子などを送信することとしてもよい。
（６）実施形態では、各ゲート管理装置から記録先装置を特定して、その装置のメモリに入退室情報を記録させることとしているが、ゲート管理装置に限らず、ネットワーク接続された装置でよく、そのメモリに所定の情報を記録することとしてもよい。
（７）実施形態では、各ゲート管理装置に入退室情報を記録することとしているが、ゲート管理システムに管理用パソコン等を接続し、各ゲート管理装置から入退室履歴情報を収集することとしてもよい。
【００９１】
図１２は、パソコン３０００で入退室履歴情報を収集するシステム構成例を示す図である。
この場合、例えば、各ゲート管理装置（１０００、２０００など）は、管理用のパソコン３０００の要求に応じて、入退室履歴情報をパソコンに送信する。
これにより、入退室履歴情報のバックアップを容易にすることが可能となる。
【００９２】
また、ゲート管理装置のメモリが一杯になった時点でパソコンに送信したり、定期的にパソコンに送信することにより、全ての履歴を記録することが可能となる。
さらに、パソコンに収集することにより、入退室履歴情報の加工、検索等が容易になるという利点がある。
（８）実施形態で示したゲート管理装置の各機能を実現させる為の各制御処理（図１等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した各機能が実現される。
（９）ここで、本システムは、エミット（ＥＭＩＴ（Embedded Micro Internetworking Technology））と称する機器組み込み型ネットワーク技術（機器に簡単にミドルウェアを組み込んでネットワークに接続できる機能を備えるネットワーク技術、以下、ＥＭＩＴ技術と称する。）を用いることで、実現することができる。
【００９３】
ＥＭＩＴ端末とは、マイコン搭載の組み込み機器であり、機器組み込み型ネット接続用ミドルウェアであり、ＥＭＩＴ技術を実現するＥＭＩＴソフトウェアが搭載されている。
外部端末がインターネット上に設けられたセンタサーバ経由でＥＭＩＴ端末を遠隔監視・制御する構成のものや、センタサーバを介することなく、例えばＥＭＩＴソフトウェアが搭載された外部端末から、直接各ＥＭＩＴ端末にアクセスしてＥＭＩＴ端末を遠隔監視・制御する構成のものがＥＭＩＴ技術の応用システムとして挙げられる。
【図面の簡単な説明】
【００９４】
【図１】ゲート管理システムの構成例を表す図である。
【図２】接続情報記憶部１２００に記憶されているデータの例を示す図であり、図２（ａ）は、接続情報１２１０の内容例を示す図であり、図２（ｂ）は記録先情報１２２０の内容例を示す図である。
【図３】認証情報１３１０の内容例を示す図である。
【図４】入退室履歴に関する情報であり、図４（ａ）は入退室情報１４２０の内容例を示す図であり、図４（ｂ）は入退室履歴情報１４１０の内容例を示す図である。
【図５】記録先装置がゲート管理装置２０００である場合の各ゲート管理装置の処理を示すフローチャートである。
【図６】実施形態２のゲート管理装置２０００の処理を示すフローチャートである。
【図７】実施形態３のゲート管理装置１０００の処理を示すフローチャートである。
【図８】実施形態３の記録先情報７２２０の内容例を示す図である。
【図９】実施形態４のゲート管理装置２０００の処理を示すフローチャートである。
【図１０】実施形態４の接続情報８２１０の内容例を示す図である。
【図１１】実施形態１の変形例の接続情報９２１０の内容例を示す図である。
【図１２】パソコンで入退室履歴情報を収集するシステム構成例を示す図である。
【符号の説明】
【００９５】
１０００  ２０００    ゲート管理装置
１０１０  ２０１０    扉
１０１１  ２０１１    電気錠
１０１２  ２０１２    入室用リーダ
１０１３  ２０１３    退室用リーダ
１１００  ２１００    制御部
１２００  ２２００    接続情報記憶部
１２１０  接続情報
１２２０  記録先情報
１３００  ２３００    認証情報記憶部
１３１０    認証情報
１４００  ２４００    入退室履歴記憶部
１４１０    入退室履歴情報
１４２０    入退室情報
１５００  ２５００    通信部
１６００  ２６００    記録先装置特定部
１７００  ２７００    認証部
１８００  ２８００    入退室履歴作成部
【図１】
2007172177.tif 000003
【図２】
2007172177.tif 000004
【図３】
2007172177.tif 000005
【図４】
2007172177.tif 000006
【図５】
2007172177.tif 000007
【図６】
2007172177.tif 000008
【図７】
2007172177.tif 000009
【図８】
2007172177.tif 000010
【図９】
2007172177.tif 000011
【図１０】
2007172177.tif 000012
【図１１】
2007172177.tif 000013
【図１２】
2007172177.tif 000014